(57)【特許請求の範囲】
【請求項１】
基板保持台の周囲に配置した磁石により、該基板保持台に載置された基板に対しその表面内の所定方向に磁界を印加しつつ、該基板保持台を回転しながら基板上に薄膜成長を行う基板処理装置において、
前記磁石の回転機構と前記基板保持台の回転機構とを独立して設け、
さらに、前記磁界の方向を検出する手段と、前記基板の所定方向を検出する手段と、該２つの検出手段の出力により前記基板の所定方向と前記磁界の方向とを所定角度以内に一致させて回転させる機構を設けたことを特徴とする基板処理装置。
【請求項２】
前記磁界の方向及び前記基板の所定方向を、前記磁石の回転機構及び前記基板保持台の回転機構に設けられたエンコーダにより検出し、前記磁石及び前記基板保持台の回転部を互いに接触させることにより、前記基板の所定方向と前記磁界の方向とを所定角度以内に一致させることを特徴とする請求項１に記載の基板処理装置。
【請求項３】
前記磁石の回転により発生する誘導磁界によって前記基板保持台を回転させる構成としたことを特徴とする請求項１または２に記載の基板処理装置。
【請求項４】
前記基板保持台の外周側面部に、基板表面と垂直なコイルを少なくとも一つ配設したことを特徴とする請求項３に記載の基板処理装置。
【請求項５】
磁界を形成するため基板保持台の周囲の磁石を連続的に回転し、
前記基板保持台が静止し、磁石が回転している間に前記基板保持台に基板を載置し、
前記磁石と同じ回転率に前記基板保持台を回転し、
前記基板保持台と磁石の方向とを位置合わせし、
前記基板保持台と前記磁石とを一体で回転させるため、前記基板保持台と磁石とを互いに接触し、
前記基板保持台と前記基板とが一体で回転している間に、前記基板上に薄膜を形成し、
前記基板保持台と前記磁石とを互いに分離し、
前記磁石が回転し続けている間に基板保持台の回転を停止し、
前記基板保持台から前記基板を取り除く、
ことを特徴とする基板処理方法。
【請求項６】
基板保持台の周囲に配置した磁石により、基板保持台に載置した基板に対しその表面内の所定方向に磁界を印加しつつ、前記磁石及び前記基板保持台の回転機構により前記磁石及び前記基板保持台を回転させながら複数の基板に連続して薄膜成長を行う基板処理方法であって、
前記磁石は常に回転状態を維持し続け、基板の交換時は前記基板保持台だけ回転を停止して基板の交換を行い、再び前記基板保持台を回転させて前記磁界の方向と前記基板の所定方向が所定の角度以内になった時点で、前記磁石及び前記基板保持台の回転部を互いに接触させて前記磁石及び基板保持台を一体に回転させ、その後に薄膜の成長を行うことを特徴とする基板処理方法。
【請求項７】
前記磁石の回転により発生する誘導磁界によって、前記基板保持台を回転させることを特徴とする請求項５または６に記載の基板処理方法。
【発明の詳細な説明】
【０００１】
【発明の属する技術分軒】
本発明は、基板処理装置及び処理方法に係り、特に、基板の所定方向に磁界を印加しながら基板上に薄膜を形成する基板処理装置に関する。
【０００２】
【従来の技術】
半導体及び磁性体薄膜分野において、近年、外部磁界により電気抵抗値が大きく変化する磁気抵抗（ＭＲ）効果（Magnetoresistive effect）を発現する巨大磁気抵抗（ＧＭＲ：Giant Magnetoresistive）構造、もしくはトンネル磁気抵抗構造（ＴＭＲ：Tunnel Magnetoresistive）を用いた磁気ヘッド及び記憶素子が提案されている（R&D Research and Development,July 1999,Vo1.41 No.8 p14-16）。
ＭＲ効果を図３を用いて簡単に説明する。例えば、ＧＭＲ構造の主要な機能を有する膜はＮｉＦｅのピン層３０１、Ｃｕのスペーサー層３０２、ＩｒＭｎのフリー層３０３である。ピン層３０１はあらかじめ一定の方向３０４へ磁化されており、外部磁界３０５ではこの磁化方向は変化しない。一方、フリー層３０３は外部磁界３０５により磁化方向３０６が反転する。図３（ｂ）にようにピン層３０１とフリー層３０３の磁化方向が反対のときと、図３（ａ）のように同一のときとでは、多層膜の電気抵抗値が異なる。従って、図４に示すように多層膜に電圧を印加しこの抵抗値を測定することにより、磁気情報を検出することができる。
【０００３】
この電気抵抗の磁気異方性を利用して、磁気ディスクの漏れ磁界を検出することで磁気ディスクのヘッドに利用することができる。また、通電しなくても電気抵抗変化が記憶されることから、不揮発性メモリー（ＭＲＡＭ: Magnetic Random Access Memory）としても応用が期待されている。
これらＧＭＲ構造は、実際には５〜９層もの多層構造の磁性材料、非磁性材料を積層する必要があり、その作製においては、磁化方向を保持するピン層を磁界を印加しながら薄膜を成長することにより一方向に磁化させる必要がある。
【０００４】
図５に示すように、最終的に素子を形成するには、基板５０１の所定の方向５０２に一致させてＭＲ多層膜のペレット５０３をパターニングしなければならない。これらの素子の特性を基板面内で均一にするためには、素子が成長中に加えられる磁界５０４は基板の所定方向に合わせ、かつ基板面内で均一に印加する必要がある。
従来、磁気ヘッドの生産には直径１００ｍｍもしくは１２５ｍｍの基板が用いられ、図６に示すように、基板面に平行で所定の方向の磁界を発生させるように基板の外周に磁石を配置して薄膜を形成する。即ち、基板保持台６０１及び基板６０２の外周に、永久磁石を組み合わせた磁石６０３を設置し、基板面内に一定の方向の磁界ベクトル６０４を印加している。図中の数値は磁界強度である。
ＭＲＡＭや磁気ヘッド用の磁性膜の場合、成長中に均一な方向の磁界を所定の方位から±１．５゜以下に常に維持する必要があり、ずれがこれ以上となると、ピン層保持力のばらつきが大きくなり、製品性能が不均一になって生産性を著しく低化させてしまうことになる。
【０００５】
一方、磁性デバイスは膜厚により特性が大きく変化するため、基板面内の膜厚均一性は極めて重要である。これを図７を用いて説明する。図７（ａ）はＭＲ構造の具体例であり、ピン層をＣｏＦｅ層７０１とＮｉＦｅ層７０２との２層で構成した例である。ＣｏＦｅ層７０１の膜厚を８ｎｍとし、ＮｉＦｅ層７０２の膜厚を０．２から２０ｎｍまで変化させたときの保持力の変化を図７（ｂ）に示す。図が示すように、ＮｉＦｅ層の膜厚が１ｎｍ違っただけでも保持力が大きく変化することがわかる。このため面内の膜厚均一性が悪いと、基板から採取されるデバイスの保持力に大きなばらつきが生じ、歩留まりが大幅に低下してしまうことになる。このように膜厚均一性は生産性を論じる上で極めて重要であり、基板面内の膜厚分布［＝（最大値一最小値）／（最大値＋最小値）］は±１．５％以下、将来のデバイス性能を予測すると、±１％以下に抑える必要がある。
【０００６】
ここで、基板面内の膜厚均一性を向上させる方法として、蒸発源の中心軸を基板中心軸とずらして配置し、基板を回転させながら薄膜を成長させる方法がある。この方式は従来から、スパッタリング法、真空蒸着法、分子線エビタキシー（ＭＢＥ：Molecular Beam Epitaxy）にて用いられている手法である（J.Sakai,S.Murakami,et al., J.Vaccum Science and Technology B 1989 p1657）。この方式をＭＲ膜の成膜に用いたスパッタ装置の従来構成例を図８に示す。
図８（ａ）は、基板とスパッターターゲットの幾何学的位置関係を示す模式図である。スパッターターゲット８０４は、基板中心軸８０２より外周方向にオフセット８０５して配置され、かつ斜め角８０６を持って取り付けられている。薄膜形成時には、基板８０１は基板中心軸８０２を中心に自転８０３する。このようにして、直径８７．５ｍｍのターゲットを用い、直径２００ｍｍの基板上に薄膜を形成したときの膜厚分布を図８（ｂ）に示す。直径２００ｍｍの基板で膜厚分布［＝（最大値一最小値）／（最大値＋最小値）］は、±０．４５％となり、基板回転を伴うオフセット成長法を用いることにより、比較的小型の蒸発源を用いても極めて良好な膜厚均一性を得ることができる。
【０００７】
なお、基板回転を伴わずに良好な面内膜厚分布を得ようとすれば、例えば直径２００ｍｍの基板に対して直径４５０ｍｍ以上の大口径のスパッターターゲットが必要となり、装置価格、材料価格は著しく高いものとなる。また、異種材料を高清浄雰囲気を維持しながら連続成長する場合には、複数の大口径ターゲットを設置した巨大なチャンバーが必要となり、経済上極めて不利な状況に甘んじなければならない。
従って、直径１２５ｍｍ以上の大口径基板を処理する装置では、チャンバー内のほぼ中央に基板を設置し、ターゲット中心軸を基板中心軸から外へずらして配置し基板を回転させる構成が採用され、これにより、基板面内の膜厚分布±１％以下を比較的小型のチャンバーと小口径のスパッターターゲットとで達成することが可能となる。
【０００８】
以上の装置構成で、例えばＧＭＲ構造の上記ピン層を形成するための装置を図２に示す。図２は、均一な磁界、良好な面内膜厚均一性を得るためのスパッタ装置を示す模式的断面図である。
スパッタ装置は、内部にターゲット及び基板保持台が配設されたステンレス鋼製の真空チャンバー１０１と、排気系１０２と、ガス供給系１０３とから構成される。真空チャンバー１０１内には、その下部に基板保持台１０５と磁石１０６が支持台１２５上に取り付けられ、支持台１２５は、回転軸１２６を介してモータ１２４と連結されている。従って、基板保持台上に載置された基板の方位と磁石による平行磁界の方位とを常に一定に保ちながら基板を回転することができる。なお、回転軸のシールには磁性流体シール１１０が用いられる。この回転軸１２６及び基板保持台１０５を貫通するようにリフトピン１０７が設けられ、基板搬出入時にシリンダ１０９により上下移動して、ロボット（不図示）と基板保持台１０５との間で基板の受け渡しを行う。なお、リフトピンの下端部には、ベローズ１０８が配設される。
一方、ターゲット１１５は、チャンバーの上部に、その中心軸を基板の中心軸からオフセットして配置してある。
【０００９】
図２のスパッタ装置を用いた磁界中成膜の手順を説明する。
チャンバー１０１内は、クライオポンプ２０２で圧力５ｘ１０−７Ｐａまで排気され、また回転軸１２６は、基板がロボットから受け渡され基板保持台１０５上に載置されたときに、基板の所定方向と磁界の方向が一致するように、予め定められた位置で停止している。
基板は、ロードロック室（不図示）で所定の方位を向けてロボット（不図示）に受け渡され、ポート１０４を通してリフトピン１０７上に載置される。リフトピン２０５が下降して基板１２０は基板保持台１０５上に設置される。このとき、基板の所定方向と磁石１０６による磁界の方向は一致する。
基板１２０は基板保持台１０５及び磁石１０６と共に回転モーター１２４によって回転を開始し、１５０秒後に所定の回転数３６ｒｐｍに達する。
【００１０】
次に、バルブ１１８が開けられ、図示しない流量計で制御された流量のＡｒガスが導入される。スパッターターゲット１１５にＤＣ電源（不図示）からＤＣ電圧を印加し、Ａｒガスを励起してプラズマを発生する。数秒後、プラズマが安定した後に、シャッターの駆動機構１１７によりシャッター１１６を開け、基板上への薄膜成長を開始する。時間制御によりシャッター１１６を閉じ成長を停止する。ターゲットへのＤＣ電圧を遮断し、同時に回転モーター１２４への電流を遮断する。基板１２０の回転数は徐々に低下し、約１５０秒後に基板の回転は停止する。このとき基板回転機構に取り付けられたセンサー等により、基板を所定の方位を向けて停止させる。
リフトピン１０７が上昇し、基板はロボットにより回収され、続いて未処理の基板がリフトピン上に載置され、同じ処理が行われる。
【００１１】
【発明が解決しようとする課題】
以上述べたように、基板は磁石とその方位を±１．５゜以下の範囲内に合わせて設置し、少なくとも３０ｒｐｍ、通常は３６ｒｐｍの回転数で、基板と磁石を同期させて回転する必要がある。しかしながら、例えば、基板直径２００ｍｍの面内で最低でも磁界強度０．０６４Ａ／ｍ（５０Ｏｅ）の平行磁界を発生する磁石は、現有する市販の強力な永久磁石を張り合わせる方法をもってリング状にした場合であっても、少なくとも内径４３０ｍｍ、外径４８０ｍｍ、高さ４０ｍｍの大きさとなり、その重量は１８ｋｇに達することになる。
このため、図２に示す従来の装置構成では、基板の処理毎に、外径４８０ｍｍ、重量１８ｋｇ、慣性モーメント３．８ｋｇ・ｍ２の磁石を停止、回転させなければならず、停止から定常回転になるまでには１５０秒という長い時間が必要となり、生産性の向上を妨げる原因となっている。また、かかる磁石の回転と停止の度に回転軸の軸受け等に大きな負荷が掛かり、装置寿命及びそれに伴うメンテナンス周期が短くなるという問題がある。
【００１２】
本発明は、上記従来の問題を解決し、基板の所定方向に磁界を印加しながら基板を回転して薄膜の成長を連続して行う基板処理装置及び処理方法であって、例えば１５０ｍｍ以上の大口径基板であっても、基板の定常回転及び停止までの時間を短縮して生産性を高めるとともに、装置寿命の長い基板処理装置及び処理方法を提供することを目的とする。
【００１３】
【課題を解決するための手段】
本発明の基板処理装置は、基板保持台の周囲に配置した磁石により、該基板保持台に載置された基板に対しその表面内の所定方向に磁界を印加しつつ、該基板保持台を回転しながら基板上に薄膜成長を行う基板処理装置において、前記磁石の回転機構と前記基板保持台の回転機構とを独立して設け、さらに、前記磁界の方向を検出する手段と、前記基板の所定方向を検出する手段と、該２つの検出手段の出力により前記基板の所定方向と前記磁界の方向とを所定の角度以内に一致させ回転させる機構を設けたことを特徴とする。
より具体的には、前記磁界の方向を検出する手段及び前記基板の所定方向を検出する手段として、前記磁石の回転機構及び前記基板保持台の回転機構に設けられたエンコーダを用い、前記基板の所定方向と前記磁界の方向とを所定の角度以内に一致させて回転させる機構としては、前記磁石及び前記基板保持台の回転部を近づけて互いに接触させる機構や該回転部に取り付けられた少なくとも一対の突出部材を回転方向に接触させる機構等が例示される。
【００１４】
このように、磁石と基板保持台の回転機構を別個に設け、大型で重量があり、慣性モーメントの大きな磁石は所定の回転数で常に回転させておき、基板交換時には、軽量で慣性モーメントの小さい基板保持台だけを停止及び回転する構成としているため、基板の停止及び定常回転までの時間を大幅に短縮することができる。この結果、基板交換に要する時間を短縮でき、装置のスループットを大きく向上させることが可能となる。
さらに、基板保持台は軽量であるため、停止、回転時に軸受け等が受ける負担もほとんどなくなり、装置寿命が延びることになる。
【００１５】
さらに、本発明の基板処理装置は、前記磁石の回転により発生する誘導磁界によって基板保持台を回転させる構成としたことを特徴とする。基板保持台をアルミニウムのような導電性材料で構成すると、磁石の回転により発生する誘導磁界の効果により、基板保持台は自動的に回転するため、基板回転用のモータ等を省略することができ、装置構成をより簡略化することができる。また、前記基板保持台の外周側面部に、基板表面と垂直なコイルを少なくとも一つ配設するのが好ましく、これにより、一層大きな誘導磁界が得られ、基板保持台の定常回転までの時間を短縮することができる。
【００１６】
また、本発明の基板処理方法は、磁界を形成するため基板保持台の周囲の磁石を連続的に回転し、
前記基板保持台が静止し、磁石が回転している間に前記基板保持台に基板を載置し、
前記磁石と同じ回転率に前記基板保持台を回転し、
前記基板保持台と磁石の方向とを位置合わせし、
前記基板保持台と前記磁石とを一体で回転させるため、前記基板保持台と磁石とを互いに接触し、
前記基板保持台と前記基板とが一体で回転している間に、前記基板上に薄膜を形成し、
前記基板保持台と前記磁石とを互いに分離し、
前記磁石が回転し続けている間に基板保持台の回転を停止し、
前記基板保持台から前記基板を取り除く、
ことを特徴とする。
また、本発明の基板処理方法は、基板保持台の周囲に配置した磁石により、基板保持台に載置した基板に対しその表面内の所定方向に磁界を印加しつつ、前記磁石及び前記基板保持台の回転機構により前記磁石及び前記基板保持台を回転させながら複数の基板に連続して薄膜成長を行う基板処理方法であって、前記磁石は常に回転状態を維持し続け、基板の交換時は前記基板保持台だけ回転を停止して基板の交換を行い、再び前記基板保持台を回転させて前記磁界の方向と前記基板の所定方向が所定の角度以内になった時点で、前記磁石及び前記基板保持台の回転部を互いに接触させて前記磁石及び基板保持台を一体に回転させ、その後に薄膜の成長を行うことを特徴とする。
また、前記磁石の回転により発生する誘導磁界によって、前記基板保持台を回転させることを特徴とする。
【００１７】
【発明の実施の形態】
以下に、本発明の実施の形態を図面に基づいて詳細に説明する。
本発明の基板処理装置の一構成例を図１に示す。図１は、均一な磁界、良好な面内膜厚分布を得るための基板回転機構および磁石回転機構を有するスパッタ装置を示す模式的断面図である。
【００１８】
図１のスパッタ装置の概略構成は、基板保持台及び磁石の回転機構を除いて、図２に示したスパッタ装置とほぼ同じである。従って、従来の装置に本発明の回転機構を設けることにより、生産性に優れかつ装置寿命の長いスパッタ装置を実現することができる。
図に示すように、基板保持台の回転機構と磁石の回転機構は独立して設けられる。即ち、基板保持台１０５は回転軸１２７上に固定され、モータ１２２により回転する。一方、基板表面に平行で一方向に揃った平行磁界を基板面上に形成する磁石１０６は、支持台１２９上に取り付けられ、回転軸１２８を介してモータ１２１により回転する。それぞれの回転軸１２７、１２８には、エンコーダ磁気リング１１４，１１３が取り付けられ、その外周側に設けられたエンコーダ磁気検出器１３１，１３２により基板の方位、磁界の方位並びに各々の回転数が検出される。なお、基板保持台１０５及び回転軸１２７内部を貫通するように設けられるリフトピン１０７の構成は図２と同様である。
また、基板保持台１０５の底面に対向する磁石支持台１２９の上面部分には、円周方向に多数の凹凸を有し、シューの働きをする凹凸部材１３０が設けられており、この凹凸部材１３０と基板保持台底面とが接触させることにより、両者を一体に回転させることができる。即ち、基板保持台の回転数を増加させて磁石の回転数に近づかせ、エンコーダの出力により基板及び磁石の方位が所定の角度以内になった時点で、不図示の駆動機構により磁石回転機構全体を上昇させて凹凸部材と基板保持台底面とを接触させる。これにより、磁石と基板の方位が所定の角度以内で一致した状態を保ちながら基板を回転させることが可能となる。
【００１９】
次に、図１のスパッタ装置を用いて、基板をロードロック室（不図示）から搬入して基板保持台に載置して磁界中成膜を行い、その後ロードロック室へ搬出する手順を具体例をあげて説明する。
チャンバー１０１はクライオポンプ１０２で圧力５ｘ１０−７Ｐａまで排気されている。磁石２０７は磁石回転モーター１２１により所定の回転数（例えば３６ｒｐｍ）であらかじめ回転している。一方、基板保持台１０５は、特定の方向を向いて停止しており、リフトピン１０７は上昇した状態にある。
基板は、ロードロック室において所定の方位を向けてロボットに受け渡され、ポート１０４を通って基板保持台１０５のリフトピン１０７上に載置される。続いて、リフトピン１０７が下降して、基板１２０は、その所定方向が基板保持台の方位と一定の関係を持って基板保持台１０５に設置される。
基板保持台１０５は基板回転モーター１２２によって回転を開始し、約２２秒後に磁石の回転数と同じ３６ｒｐｍに達するが、この間エンコーダ１１３，１１４により基板の方位と磁界の方位をモニターし、基板保持台１０５が３６ｒｐｍに近づく適当な段階で、磁石回転機構全体を駆動機構（不図示）により上昇させ、両者の方位が一致するように接触させる。これにより、基板保持台と磁石とは一体となって回転し、両者の回転数の同期、方位が一致した状態で回転することになる。この結果、基板の所定方向に磁界を印加した状態で成膜を行うことが可能となる。
【００２０】
続いて、バルブ１１８を開け、所定流量のＡｒガスが導入される。スパッターターゲット１１５にＤＣ電圧が印加され、Ａｒガスが励起されてプラズマが発生する。数秒後にプラズマが安定した後に、シャッター１１６を開き、基板上への薄膜成長を開始する。時間制御によりシャッター１１６を閉じ薄膜成長を停止する。ＤＣ電圧を遮断し、同時に基板回転モーター２１３への制御により、基板１２０の回転数は低下し、約２２秒後に回転は停止する。このとき、エンコーダ１１４の出力により、基板が所定の方位を向くように基板保持台を停止する。
この間も、磁石１０６は一定回転数３６ｒｐｍで回転し続ける。リフトピン１０７が上昇し、基板は持ち上げられロボットにより回収される。
以上で、一枚の基板の処理は終了するが、続けて次の未処理基板がロボットにより基板保持台上に載置され、同様の処理が繰り返し行われる。
【００２１】
以上述べたように、本発明は、磁石を成膜中の回転速度で常に回転させたままの状態を保ち、基板保持台だけを停止、回転させて、薄膜の成長を繰り返し行うことを特徴としている。
従って、この方式を用いれば、基板および基板保持台の重量２ｋｇ、直径２００ｍｍ、慣性モーメント０．０２ｋｇ・ｍ２の物体だけを回転、停止させれば良く、図９の実線に示すように、基板の定常回転から停止に掛かる時間は２２秒、停止から定常回転に掛かる時間は２４秒となり、回転及び停止に要する時間を大幅に短縮することができる。一方、磁石の起動から定常回転までに１５５秒を要すること（図９破線）と比較すれば、本発明の構成とすることにより、スループットが向上し生産性が大きく改善されることは明かである。さらに、本発明の構成は、回転停止に要する時間の短縮化を達成するだけではなく、軸受けの負担が大幅に軽減されるため、従来の多くの基板回転装置と同様の実績のある、長寿命のものを使用できるというメリットがある。
【００２２】
本発明においては、基板保持台の材質は特に制限はなく、どのような材質のものでも用いることができるが、本発明者が種々の装置構成を検討する中で、基板保持台をアルミニウムで製作したところ、磁石の回転により基板保持台に発生する電流によって、自動的に基板保持台が誘導回転することが確認された。このため、基板保持台の回転を自由とし回転停止機構を設けるだけで  基板保持台の回転制御が可能となり、基板保持台回転用のモータを省略することができる。この場合、基板保持台の回転数が磁石の回転数に近づいた時点で、上述したように基板保持台と磁石の支持台等を接触等させればよく、同様に同期回転をさせることができる。
ここで、誘導磁界の効果を高めるために基板保持台内部にコイルを埋め込むのが好ましく、例えば、基板保持台外周側面部に基板表面と垂直に１または複数のコイルを配置することにより誘導磁界効果を増大させることができる。また、このコイルの回路を開閉することによっても誘導磁界効果を増減させることも可能である。
【００２３】
以上、図１を用いて本発明の実施の形態を説明してきたが、本発明の構成及び機構、手段、部材等は図１のものに限定されるものではなく、同様の機能を有するものであればどのようなものを用いても良い。
例えば、図１の例では、磁石と基板との回転数の同期、方位の一致させて回転させるために、磁石支持台に凹凸部材１３０を設け、磁石回転機構全体を上昇させて接触させる構成としたが、凹凸部材１３０は、基板保持台の底面に設けてもよく、また、基板保持台底面、磁石支持台面の両方に設けても良い。また、磁石回転機構を上昇させる代わりに、基板回転機構全体を下降させて両者を接触させるようにしても良い。
さらに、かかる凹凸部材の他に、例えば、基板保持台底面と支持台に少なくとも１対の突出部材を、磁石回転機構上昇時にその側面が回転方向で接触するように設けても良い。この場合、突出部材は、当接時に基板の所定方向と磁界の方向とが一致する位置に設けられる。このようにして、エンコーダの出力により磁石と基板との方位が一致した時点で、磁石回転機構を上昇させて両突出部材を接触させることにより、基板保持台と磁石とを一体に回転させることができる。なお、このような突出部材は、様々な形状、配置をとってもよく、例えば嵌め合う形状のものでも良い。
さらにまた、基板保持台及び磁石の回転部で互いに接触させる部分は、上記基板保持台底面と支持台上面間に限らず、例えば、大気側の回転軸部としても良い。
【００２４】
また、平行磁界を発生させる磁石にリング状の磁石を用いたが、これに限らず、例えば一対の棒状磁石を用いても良く、また、エンコーダも回転数、方位（回転角）を検出できるものであれば、磁気的方式なものにかかわらず、光学式等どのようなものを用いても良いことは言うまでもない。
加えて本発明は、上記実施の形態ではスパッターターゲットを用いた装置にて示したが、同様の効果を加熱蒸発源、イオンビームスパッター源でも得られることは例を記述するまでもなく明らかである。
【００２５】
【発明の効果】
本発明は以上説明したように、基板の所定方向に磁界を印加する磁石を常時回転させ、基板および基板保持台を基板搬送のために停止させ、成膜のために回転させて磁石の磁界と基板方向を一致させて同期回転させることで、大型で重量のある磁石を基板搬送毎に回転、停止することなく、次々と基板を処理可能とする。この結果、磁石の大きな慣性モーメントに逆らって回転を停止、起動回転させる時間を短縮できるため、生産性を向上させることが可能となる。さらに、磁石を回転させる回転軸受け、回転モーターにかかる過大な負荷を低減して装置寿命、メンテナンス周期の長期化に寄与する効果がある。
また、基板保持台を適当な導電性材料で構成することにより、回転している磁石の磁界によって基板保持台に誘導される磁界を用いて、基板及び基板保持台を回転させることが可能である。
【図面の簡単な説明】
【図１】本発明の実施形態に係る基板処理装置の断面模式図である。
【図２】従来の基板処理装置の断面模式図である。
【図３】磁気抵抗素子の動作模式図である。
【図４】磁気抵抗素子の抵抗値測定回路である。
【図５】基板への印加磁界と磁気抵抗素子の配列を示す模式図である。
【図６】磁石と基板、基板保持装置の配置を示す模式図である。
【図７】ＭＲ構造を示す模式図及び保持力のＮｉＦｅ膜厚依存性を示すグラフである。
【図８】基板とスパッターターゲットの幾何学的配置を示す模式図及び基板面内膜厚分布を示すグラフである。
【図９】本発明による基板及び磁石の回転と回転数の時間経過とを示すグラフである。
【符号の説明】
１０１  チャンバー、
１０２  クライオポンプ（排気系）、
１０３  ガス供給系、
１０４  基板搬送口、
１０５  基板保持台、
１０６  磁石、
１０７  リフトピン、
１０８  ベローズ、
１０９  シリンダ、
１１０，１１１  磁性流体シール、
１１３，１１４  エンコーダ磁気リング、
１１５  スパッターターゲット、
１１６  シャツタ、
１１７  シャッタ駆動機構、
１１８，１１９  バルブ、
１２０  基板、
１２１  磁石回転モータ、
１２２  基板回転モータ、
１２３  シールド、
１２４  回転モータ、
１２５  支持台、
１２６、１２７，１２８  回転軸、
１２９  磁石支持台、
１３０  凹凸部材、
１３１，１３２  エンコーダ時期検出器、
３０１  ピン層、
３０２  スペーサー層、
３０３  フリー層、
３０５  外部磁界、
３０４、３０６  磁化方向、
５０１  基板、
５０２  所定の方向、
５０３  ペレット、
５０４  成長中の磁界、
６０１  基板保持台、
６０２  基板、
６０３  磁石、
６０４  磁界ベクトル、
７０１  ＣｏＦｅ層、
７０２  ＮｉＦｅ層、
８０１  基板、
８０２  基板中心軸、
８０３  自転、
８０４  スパッターターゲット、
８０５  オフセット、
８０６  斜め角。
【図１】
0004205294.tif 000002
【図２】
0004205294.tif 000003
【図３】
0004205294.tif 000004
【図４】
0004205294.tif 000005
【図５】
0004205294.tif 000006
【図６】
0004205294.tif 000007
【図７】
0004205294.tif 000008
【図８】
0004205294.tif 000009
【図９】
0004205294.tif 000010